(57)【要約】【課題】医療用ギプスを提供する。【解決手段】本発明は、身体の治療対象部位に挿入配置し、ポリエステル糸やポリプロピレン糸からなる第１ポリ糸と、第１スパンカバーリング糸と、を混用して、メッシュ状の組織を有するように円筒状に製織された皮膚保護綿糸と、皮膚保護綿糸の外側に挿入配置し、ポリエステル糸やポリプロピレン糸からなる第２ポリ糸と、第２スパンカバーリング糸と、を混用して、メッシュ状の組織を有するように円筒状に製織され、水硬性硬化液が含浸されるギプス綿糸と、を含む医療用ギプスを提供する。このように、医療用ギプスは、身体の治療対象部位を取り囲むように着用する皮膚保護綿糸及びギプス綿糸がスパンカバーリング糸を含むように製織されて、伸縮性に優れると共に、網紗構造を有するように形成されて、通気性に優れる。また、皮膚保護綿糸は、ポリ糸を含んで織造されることによって、皮膚トラブルの発生が低くなると共に、水分排出を容易にできて、患者に快適さを提供する。【選択図】図１
2018079179.tif 000002
【特許請求の範囲】
【請求項１】
身体の治療対象部位に挿入配置し、ポリエステル糸やポリプロピレン糸からなる第１ポリ糸と、第１スパンカバーリング糸と、を混用して、メッシュ状の組織を有するように円筒状に製織された皮膚保護綿糸と、
前記皮膚保護綿糸の外側に挿入配置し、ポリエステル糸やポリプロピレン糸からなる第２ポリ糸と、第２スパンカバーリング糸と、を混用して、メッシュ状の組織を有するように円筒状に製織され、水硬性硬化液が含浸されるギプス綿糸と、
を含む医療用ギプス。
【請求項２】
前記皮膚保護綿糸及び前記ギプス綿糸には、
長手方向の両端のフレーム部分及び長手方向の両端の間には、円周方向に製織されて、身体に挿入状態で密着されるように伸縮性を有するバンディング部をさらに含む請求項１に記載の医療用ギプス。
【請求項３】
前記皮膚保護綿糸及び前記ギプス綿糸は、長手方向の一端から長手方向の他端の方向に直径を異ならせて製織した請求項１に記載の医療用ギプス。
【請求項４】
前記皮膚保護綿糸及び前記ギプス綿糸は、壷、葫蘆瓶、梯形の断面形状のうち１つの断面形状を有するように製織した請求項３に記載の医療用ギプス。
【請求項５】
前記皮膚保護綿糸は、前記第１ポリ糸及び前記第１スパンカバーリング糸を２〜３本：１本の比率で製織し、
前記第１ポリ糸の太さは、３００デニールである請求項１に記載の医療用ギプス。
【請求項６】
前記ギプス綿糸は、前記第２ポリ糸及び前記第２スパンカバーリング糸を４〜９本：１本の比率で製織し、
前記第２ポリ糸の太さは、３００デニールである請求項１に記載の医療用ギプス。
【発明の詳細な説明】
【技術分野】
【０００１】
本発明は、医療用ギプスに係り、より詳細には、骨折患者の骨折部位や糖尿患者の腫脹部位に巻いて使う医療用ギプスに関する。
【背景技術】
【０００２】
一般的に、医療用ギプスは、治療対象部位にストッキネット（Ｓｔｏｋｉｎｅｔｔｅ）と言う皮膚保護用の布を着用した後、その上に綿を数回巻き、これに硬化用釉薬に濡らした硬化用の包帯を数回巻いて硬化させる方法が使われる。
【０００３】
しかし、前記のようなギプス部材及び施術方法は、皮膚保護用の布を着用した後、その上に綿で一定の間隔を保持しながら巻かなければならず、釉薬をつけた布または狭い部位から広い部位に４〜６回重複して螺旋状に巻かなければならないので、高度の専門的な技術が必要となる。また、患者の皮膚が密閉されて通気が遮断されるので、患者がギプスをすれば、通常６〜１２週間着用するために、患部のかゆみ症及び窮屈による苦痛が深刻であり、ギプス部位に水泡など２次感染の恐れがある。
【０００４】
また、前記皮膚保護用の布は、綿（Ｃｏｔｔｏｎ）材質であるために、特性上、水気の排出が起こらず、患者が洗う時、前記皮膚保護用の布に水気が染み込まれば、そのまま固着されて激しい悪臭を誘発させる原因となる。したがって、ギプスを着用した患者は、洗う時、非常に注意をしなければならない煩わしさが発生する。
【発明の概要】
【発明が解決しようとする課題】
【０００５】
本発明は、水分に対する吸水性を減少させると共に、伸縮性及び通風に優れた医療用ギプスを提供するところにその目的がある。
【課題を解決するための手段】
【０００６】
本発明は、身体の治療対象部位に挿入配置し、ポリエステル糸やポリプロピレン糸からなる第１ポリ糸と、第１スパンカバーリング糸と、を混用して、メッシュ状の組織を有するように円筒状に製織された皮膚保護綿糸と、前記皮膚保護綿糸の外側に挿入配置し、ポリエステル糸やポリプロピレン糸からなる第２ポリ糸と、第２スパンカバーリング糸と、を混用して、メッシュ状の組織を有するように円筒状に製織され、水硬性硬化液が含浸されるギプス綿糸と、を含む医療用ギプスを提供する。
【０００７】
また、前記皮膚保護綿糸及び前記ギプス綿糸には、長手方向の両端のフレーム部分及び長手方向の両端の間には、円周方向に製織されて、身体に挿入状態で密着されるように伸縮性を有するバンディング部をさらに含みうる。
【０００８】
また、前記皮膚保護綿糸及び前記ギプス綿糸は、長手方向の一端から長手方向の他端の方向に直径を異ならせて製織することができる。
また、前記皮膚保護綿糸及び前記ギプス綿糸は、壷、葫蘆瓶、梯形の断面形状のうち１つの断面形状を有するように製織することができる。
また、前記皮膚保護綿糸は、前記第１ポリ糸及び前記第１スパンカバーリング糸を２〜３本：１本の比率で製織し、前記第１ポリ糸の太さは、３００デニールであり得る。
また、前記ギプス綿糸は、前記第２ポリ糸及び前記第２スパンカバーリング糸を４〜９本：１本の比率で製織し、前記第２ポリ糸の太さは、３００デニールであり得る。
【発明の効果】
【０００９】
本発明による医療用ギプスは、身体の治療対象部位を取り囲むように着用する皮膚保護綿糸及びギプス綿糸がスパンカバーリング糸を含むように製織されて、伸縮性に優れると共に、網紗構造を有するように形成されて、通気性に優れる。また、皮膚保護綿糸は、ポリ糸を含んで織造されることによって、皮膚トラブルの発生が低くなると共に、水分排出を容易にできて、患者に快適さを提供する。
【図面の簡単な説明】
【００１０】
【図１】本発明の一実施形態による医療用ギプスの分解斜視図である。
【図２】図１に示した皮膚保護綿糸の正面図である。
【図３】図１に示したギプス綿糸の正面図である。
【図４】図２に示した皮膚保護綿糸の他の実施形態による正面図である。
【発明を実施するための形態】
【００１１】
以下、添付図面を参照して、本発明の望ましい実施形態を詳しく説明する。
図１は、本発明の一実施形態による医療用ギプスの分解斜視図であり、図２は、図１に示した皮膚保護綿糸の正面図であり、図３は、図１に示したギプス綿糸の正面図である。図１ないし図３を参照すれば、前記医療用ギプスは、皮膚保護綿糸１００、ギプス綿糸２００を備えている。
【００１２】
前記皮膚保護綿糸１００は、患者身体の腕や足または首の治療対象部位に挿入状態で取り囲むように長手方向の両端が開放された円筒状に製織する。このような、前記皮膚保護綿糸１００は、前記治療対象部位に挿入設置を容易にできるように伸縮性に優れた材質で製織する。
【００１３】
前記皮膚保護綿糸１００は、ポリエステル糸やポリプロピレン糸からなる第１ポリ糸１１０と、第１スパンカバーリング糸１２０と、をメッシュ状の組織を有するように製織する。この際、前記皮膚保護帯１００の第１スパンカバーリング糸１２０は、伸縮性を増大させ、前記第１ポリ糸１１０は、身体の治療対象部位に対する皮膚トラブルの発生を防止すると共に、水分排出力を増大させる。
【００１４】
ここで、前記皮膚保護綿糸１００は、前記第１ポリ糸１１０と前記第１スパンカバーリング糸１２０とで製織時に、２〜３本：１本の比率を有するように形成される。この際、前記第１ポリ糸１１０が、３本の比率を超過する場合には、前記身体の治療対象部位を取り囲むように設置時に、圧迫率が高くなりながら、前記身体に疼痛を誘発させる問題点がある。逆に、前記第２ポリ糸２１０が、２本の比率よりも小さい場合には、水分排出率が低くなるという問題点がある。
【００１５】
そして、前記皮膚保護綿糸１００の前記第１ポリ糸１１０の太さは、３００デニール（Ｄｅｎｉｅｒ）であり、前記第１スパンカバーリング糸１２０の太さは、７０〜７５デニールを選択的に使って製織することができる。この際、前記第１スパンカバーリング糸１２０の太さが７０デニールよりも小さく、前記第１ポリ糸１１０の太さが３００デニールよりも小さい場合には、前記皮膚保護綿糸１００の製織に使われる本数が増大して製造コストが増大する。逆に、前記第１スパンカバーリング糸１２０の太さが７５デニールよりも大きく、前記第１ポリ糸１１０の太さが３００デニールよりも大きい場合には、メッシュ状の製織時に、通気孔１０１部分の直径が小さくなりながら、通気効率及び伸縮性が落ちるという問題点が発生する恐れがある。
【００１６】
また、前記皮膚保護綿糸１００の長手方向の一端及び長手方向の他端と、前記皮膚保護綿糸１００の長手方向の一端及び長手方向の他端の間には、身体に挿入状態で密着されるように伸縮性を有するバンディング部１３０が稠密に製織形成されうる。このような、前記バンディング部１３０は、手首や腕首またはヒジやヒザまたは指先や足先に位置する部分に形成されて、前記皮膚保護綿糸１００を身体に着用した状態で、異物が、前記皮膚保護綿糸１００と身体の皮膚との間への侵透を防止すると共に、位置が安定して固定された着用状態を保持可能にする。
【００１７】
そして、前記皮膚保護綿糸１００は、長手方向の一端のフレーム部分と長手方向の他端のフレーム部分との直径が同じ長方形の断面形態で製織することが望ましいが、これに限定せず、図４の（ａ）と（ｂ）とに示したように、梯形の形態や葫蘆瓶の形態または壷の形態で製織して、身体の治療対象部位に容易に挿設させうる。
【００１８】
ここで、前記皮膚保護綿糸１００は、二重構造を有するように製織して、内側面は、前記身体の皮膚に接触させ、外側面は、後述するギプス綿糸２００に接触させ、ギプス綿糸２００が水硬性硬化液によって硬化時に、皮膚を保護すると共に、快適さを保持可能にする。
【００１９】
前記ギプス綿糸２００は、前記身体の治療対象部位に挿設された前記皮膚保護綿糸１００の外側部分に挿入状態で前記皮膚保護綿糸１００を取り囲むように長手方向の両端が開放された円筒状に製織する。ここで、前記ギプス綿糸２００には、水硬性硬化液が含浸されて、水と接触された後、経時的に硬化状態になる。このような、前記ギプス綿糸２００は、前述した前記皮膚保護綿糸１００と同様に、前記皮膚保護綿糸１００で取り囲まれた前記身体の治療対象部位に挿入設置を容易にできるように伸縮性に優れた材質で織造形成される。
【００２０】
前記ギプス綿糸２００は、ポリエステル糸やポリプロピレン糸からなる第２ポリ糸２１０と、第２スパンカバーリング糸２２０と、をメッシュ状の組織を有するように製織する。この際、前記ギプス綿糸２００の第２スパンカバーリング糸２２０は、伸縮性を増大させ、前記第２ポリ糸２１０は、前記水硬性硬化液の含浸のための反応性に優れると共に、安価である。ここで、前記水硬性硬化液は、水硬性ウレタンレジンを使うが、これに限定しないということはいうまでもない。
【００２１】
ここで、前記ギプス綿糸２００は、前記第２ポリ糸２１０と前記第２スパンカバーリング糸２２０とで製織時に、４〜９本：１本の比率を有するように形成される。この際、前記第２ポリ糸２１０が、９本の比率を超過する場合には、伸縮性が落ちるという問題点がある。逆に、前記第２ポリ糸２１０が、４本の比率よりも小さい場合には、前記水硬性硬化液の含浸反応性が低くなるという問題点がある。
【００２２】
また、前記ギプス綿糸２００の前記第２スパンカバーリング糸２２０の太さは、７０〜１４０デニールであり、前記第２ポリ糸２１０の太さは、３００デニールを選択適用することができる。この際、前記第２スパンカバーリング糸２００の太さが、７０デニールより小さく、前記第２ポリ糸２１０の太さが、３００デニールよりも小さい場合には、前記ギプス綿糸２００の製織に使われる本数が増大する。逆に、前記第２スパンカバーリング糸２００の太さが、１４０デニールより大きく、前記第２ポリ糸２１０の太さが、３００デニールよりも大きい場合には、メッシュ状の製織時に、通気孔２０１部分の直径が小さくなりながら、通気効率及び伸縮性が落ちるという問題点が発生する恐れがある。
【００２３】
また、前記ギプス綿糸２００の長手方向の一端及び長手方向の他端と、前記皮膚保護綿糸１００の長手方向の一端及び長手方向の他端の間には、身体に挿入状態で密着されるように伸縮性を有するバンディング部２３０が稠密に製織形成されうる。このような、前記バンディング部２３０は、手首や腕首またはヒジやヒザまたは指先や足先に位置する部分に形成されて、前記ギプス綿糸２００を身体に着用した状態で、異物が、前記皮膚保護綿糸１００と前記ギプス綿糸２００との間への侵透を防止すると共に、位置が安定して固定された着用状態を保持可能にする。
【００２４】
そして、前記ギプス綿糸２００の長手方向の一端から長手方向の他端には、補強部２４０を延長されるように製織形成させることができる。このような、前記補強部２４０は、前記ギプス綿糸２００の補強部２４０が形成されていない部分よりも稠密な構造を有するように製織されて、前記ギプス綿糸２００が安定した強度を保持可能にする。
【００２５】
また、前記ギプス綿糸２００は、前述した前記皮膚保護綿糸１００と同様に、長手方向の一端のフレーム部分と長手方向の他端のフレーム部分との直径が同じ長方形の断面形態で製織することが望ましいが、これに限定せず、梯形の形態や葫蘆瓶の形態または壷の形態で製織して、身体の治療対象部位に容易に挿設させうる。
【００２６】
このように、構成される医療用ギプスに対する圧縮力試験を通じて、表１のような結果を導出することができる。この際、医療用ギプスは、直径２×長さ１５ｃｍ、直径３×長さ１５ｃｍ、直径４×長さ１５ｃｍ、直径５×長さ１５ｃｍに対して、それぞれ１００ｍｍ／ｍｉｎの速度で圧縮し、５Ｈｚ間隔でデータを取得した。
【００２７】
【表１】
2018079179.tif 000003
【００２８】
このような、一実施形態による医療用ギプスは、治療対象部位に前記皮膚保護綿糸１００を靴下または手袋をはくように着用した後、再び前記ギプス綿糸２００を水に浸した後、前記皮膚保護綿糸１００の外側面を取り囲むように再び治療対象部位に着用させれば、前記ギプス綿糸２００に含浸された水硬性硬化液によって硬化される。この際、前記皮膚保護綿糸１００及び前記ギプス綿糸２００は、メッシュ状の組織を有することによって、通気性に優れると共に、第１スパンカバーリング糸１２０及び前記第２スパンカバーリング糸２２０の材質による伸縮性に優れることによって、着用が便利になる。また、前記皮膚保護綿糸１００の第１ポリ糸１１０によって患者の治療対象部位の皮膚とのトラブルが少ないと共に、水分をよく排出させる。
【００２９】
本発明は、図面に示された実施形態を参考にして説明されたが、これは例示的なものに過ぎず、当業者ならば、これより多様な変形及び均等な他実施形態が可能であるという点を理解できるであろう。したがって、本発明の真の技術的保護範囲は、特許請求の範囲の技術的思想によって決定されるべきである。
【産業上の利用可能性】
【００３０】
本発明は、医療用ギプス関連の技術分野に適用可能である。
【符号の説明】
【００３１】
１００：皮膚保護帯
１１０：第１ポリ糸
１２０：第１スパンカバーリング糸
１３０、２３０：バンディング部
２００：ギプス綿糸
２１０：第２ポリ糸
２２０：第２スパンカバーリング糸
２４０：補強部
【図１】
2018079179.tif 000004
【図２】
2018079179.tif 000005
【図３】
2018079179.tif 000006
【図４】
2018079179.tif 000007
【手続補正書】
【提出日】平成29年11月28日(2017.11.28)
【手続補正１】
【補正対象書類名】特許請求の範囲
【補正対象項目名】全文
【補正方法】変更
【補正の内容】
【特許請求の範囲】
【請求項１】
身体の治療対象部位に挿入配置し、ポリエステル糸やポリプロピレン糸からなる第１ポリ糸と、第１スパンカバーリング糸と、を混用して、メッシュ状の組織を有するように円筒状に製織された皮膚保護綿糸と、
前記皮膚保護綿糸の外側に挿入配置し、ポリエステル糸やポリプロピレン糸からなる第２ポリ糸と、第２スパンカバーリング糸と、を混用して、メッシュ状の組織を有するように円筒状に製織され、水硬性硬化液が含浸されるギプス綿糸と、
を含み、
前記皮膚保護綿糸は、前記第１ポリ糸及び前記第１スパンカバーリング糸を２〜３本：１本の比率で製織し、
前記第１ポリ糸の太さは、３００デニールである医療用ギプス。
【請求項２】
身体の治療対象部位に挿入配置し、ポリエステル糸やポリプロピレン糸からなる第１ポリ糸と、第１スパンカバーリング糸と、を混用して、メッシュ状の組織を有するように円筒状に製織された皮膚保護綿糸と、
前記皮膚保護綿糸の外側に挿入配置し、ポリエステル糸やポリプロピレン糸からなる第２ポリ糸と、第２スパンカバーリング糸と、を混用して、メッシュ状の組織を有するように円筒状に製織され、水硬性硬化液が含浸されるギプス綿糸と、
を含み、
前記ギプス綿糸は、前記第２ポリ糸及び前記第２スパンカバーリング糸を４〜９本：１本の比率で製織し、
前記第２ポリ糸の太さは、３００デニールである医療用ギプス。
【請求項３】
前記皮膚保護綿糸及び前記ギプス綿糸には、
長手方向の両端のフレーム部分及び長手方向の両端の間には、円周方向に製織されて、身体に挿入状態で密着されるように伸縮性を有するバンディング部をさらに含む請求項１又は２に記載の医療用ギプス。
【請求項４】
前記皮膚保護綿糸及び前記ギプス綿糸は、長手方向の一端から長手方向の他端の方向に直径を異ならせて製織した請求項１又は２に記載の医療用ギプス。
【請求項５】
前記皮膚保護綿糸及び前記ギプス綿糸は、壷、葫蘆瓶、梯形の断面形状のうち１つの断面形状を有するように製織した請求項４に記載の医療用ギプス。